(57)【特許請求の範囲】
【請求項１】
消費すべき流体を受け入れる中空内部および消費すべき流体が通ることができる開口を備えたディスペンサ本体と、
前記ディスペンサ本体開口からディスペンサ本体内に延びている剛性ガイドチューブと、
該ガイドチューブに対して支持されており、消費すべき流体が充填されると本体開口に対してガイドチューブから離れる方向に延び、流体が排出されるとガイドチューブ内に収縮される可撓性流体容器と、
前記可撓性流体容器内に収容される流体と流体流れ連通するマウスピースと、
該マウスピースから可撓性流体容器内への空気流入を防止する弁と、
前記ディスペンサ本体開口上に取り付けられるディスペンサ本体キャップと、
前記ディスペンサ本体キャップとマウスピースとの間に延びている流れチューブとを有し、
前記マウスピースは、乳首部材が取り付けられた弁ブロックを有し、
該弁ブロックは、これを通る流体流路を開閉すべく移動可能な弁部材を備え、弁ブロックは流れチューブに着脱可能に取り付けられることを特徴とするドリンクディスペンサ。
【請求項２】
消費すべき流体が通ることができる開口および該開口から延びている剛性ガイドチューブを備えたディスペンサ本体と、
該ガイドチューブに対して支持されており、流体が排出されるとガイドチューブ内に収縮される可撓性流体容器と、
該可撓性流体容器内に収容される流体と流体流れ連通するマウスピースと、
マウスピースから可撓性流体容器内への空気流入を防止する弁と、
前記マウスピースと可撓性流体容器との間に設けられ中間隔室とを有し、
該中間隔室は、可撓性流体容器内に入れられた消費すべき流体が、本体開口およびマウスピースを通る前に中間隔室を通らなくてはならないようにディスペンサ本体内に配置されていることを特徴とするドリンクディスペンサ。
【請求項３】
前記可撓性流体容器と中間隔室との間に配置された中間一方向弁を有することを特徴とする請求項２記載のドリンクディスペンサ。
【請求項４】
前記ディスペンサ本体開口上に取り付けられたディスペンサ本体キャップと、
前記ディスペンサ本体開口とマウスピースとの間に延びている流れチューブとを有し、
前記マウスピースは、ディスペンサ本体キャップに着脱可能に取り付けられるキャップベースを有し、
前記流れチューブは、キャップベースがディスペンサ本体キャップに取り付けられるときに、ディスペンサ本体キャップとキャップベースとの間にコイル状に収納されるコイル状チューブセグメントからなり、
前記マウスピースは、乳首部材が取り付けられた弁ブロックを有し、
該弁ブロックは、これを通る流体流路を開閉すべく移動可能な弁部材を備え、弁ブロックは流れチューブに着脱可能に取り付けられることを特徴とする請求項２記載のドリンクディスペンサ。
【発明の詳細な説明】
【０００１】
（技術分野）
本発明は一般的に、乳児用哺乳ビンを含む。ドリンクディスペンサーに関連している、特に、ディスペンサーの中に液体を保持するしぼみ型プラスチック容器用のドリンクディスペンサー、およびしぼみ型バッグから空気を出して液体だけが飲み口にくるようにする方法に関する発明である。さらに本発明は、ドリンクディスペンサーから液体を吸い出すのを容易にする、改良されたマウスピースまたは乳首にも関係している。
【０００２】
（背景技術）
乳児用哺乳ビンは一般的に弾力性のある乳首がキャップまたはネックリングに取付けられるようになって串り、それを乳児用飲料または食料が入ったビンの上に取付けるような仕組みになっている、弾力のある乳首は、柔らかくてしぼむマウスピースでできていて、それを乳児が吸引の動作に伴ってしぼめたりふくらんだりさせて、ビンに入っている液体を乳首ポートから吸い出すことになる。このような一般的な哺乳ビンは、ビンの内容物が弾力性のある乳首に流れ込むことを確保するために、垂直またはそれに近い状態で立てて使用する必要がある。さらにそのような従来のビンは、乳児が液体を飲むときに空気が入ってしまう。そのため哺乳ビンを使っている乳児が空気を飲み込むことがよくあり、消化不良の原因となる。
【０００３】
このようにこれまでずっと維持されてきた形状の改良版として、新型の乳児用哺乳ビンはポリマー製円筒形シェルでしぼみ型プラスチックバッグが取付けられるようになっている。ミルク、調合乳、その他の液体は、円筒形シェルやビンそのものにではなく、バッグに入れるようになっている、その上に適切な乳首アセンブリーをつけると、この構成は、乳児がビンの中に入っている液体を吸い込むとパツグが徐々にしぼむ、望ましいシステムになる。バッグがしぼむので、乳児の飲み物への空気浸入を減少させることができる。理想的には、このシステムは、乳児がしぼまないビンで飲んでいるときよりも空気の吸い込みが少なくなることを助ける。
【０００４】
しかし、普通に液体を入れる過程でしぼむバッグには液体をいっばいにいれることができないという理由により、そのようなしぼみ型バッグによる授乳システムに空気が入る問題は残ってしまう、このことから、そのような乳児用哺乳ビンは、乳首やライナーのすきまに入っている空気を、授乳を始める前に予め取り除く必要が出てくる。空気を取り除く方法としてよく使われるのはシェル本体の開放端部の中に指を入れ、ライナーを押して、すべての空気を出して液体だけが残るようにする方法である。このようにすればいっぱいのビンに対して空気を出すことはできるが、ボトルの中の液体の量が減るにつれてシェルの開放底部からライナーをシェルの中にさらに押し上げ、ライナーとその中に入っている液体から空気を押し出すという動作を指がライナーにこれ以上届かなくなるまでしなければならない。
【０００５】
フレキシブルライナー式乳児用哺乳ビンによくありがちなもう一つの問題は、乳児にげっぷをさせるため、またはその他の理由で哺乳ビンをいったん立てておくと空気が再び入ってしまうことである。ライナーに入っている液体の重さでライナーが下に降り、乳首からライナーに空気が入ってしまうことになる。乳児が吸うのをしばらく休んだときに吸引によってできた真空状態が解除されライナーに空気が入ることもある。
【０００６】
哺乳ビンをさらに改良したものが様々あり、ビンと乳首の間を延びる所定長さの可撓性チューブも出ている。このチューブはビンと乳首の間隔を有効にあけ、乳児や大人がボトルを持っていなくても、ボトルの内容物を飲むことができるという点で優れている。型によっては、チューブがボトルのキャップで終端し、使用中にホトルを逆さにした状態で支えておかなければならない。また別のデザインでは、チューブがボトルキャップを通ってボトルの底近くまで届き、ボトルを立てながらボトルの内容物を吸引することが企図されている。
【０００７】
本出願人は、乳首とビンの内部を結ぶ、長い吸引デリバリーチューブがついている型の哺乳ビンに、従来の柔らかくてしぼむ乳首は不適当であることを発見した。つまり、そのようなデザインのボトルで弾力性のある乳首がしぼんだりふくらんだりするにつれて、ビン内の液体はデリバリーチューブの中をいったりきたりして、乳児が飲むために少量しか届かない。乳児が乳首のしぼみとふくらみに合わせて動かす頭の傾きが、デリバリーチューブに与えられる吸引の妨げとなり、よほどの吸引がない限り実際には少量の液体しか届かないと考られている。
【０００８】
要約すると、しぼむプラスチックバッグまたは可撓性ライナーを使ったこれまでの飲料用ディスペンサーは、それ以前の哺乳ビンに比べて多くの利点があったが、デザインには短所があり改良の余地がみられる、飲料ディスペンサーが立った状態で液体が可撓性／しぼみ型バッグまたはライナーの底部にあるときに、ライナーの上部は直径が小さくなる形に縮小し、バッグから液体を吸いだすのが難しくなる。さらに、プラスチックがしぼむと、液体ディスペンサーまたはビンにどれだけの量の液体が残っているかを見分けるのが難しくなる。
【０００９】
そこで、可撓性ライナーから空気をすべて出してしまって、上記の短所に打ち勝つ、単純で簡単な器具及びドリンクディスペンサーが必要になってくる。特に、ユーザーがディスペンサー内の残りの液体量を簡単に見分けることができる（飲んだ量を簡単に計算できる）液体ディスペンサーが必要となる。さらに、ライナーから簡単に空気を出すことができ、事前に満たしてあるライナーを周りを囲むディスペンサーといっしょにユニットとして売り、ユーザーが飲料ディスペンサーの方向にかかわらず簡単しかもスムーズに液体を吸引できる新型の液体ディスペンサーが必要となる。哺乳ビンに関しては、長いチューブによって弾力性のある乳首類に対してどのような位置にもでき、普通の吸引力でも乳児に十分な液体が流れていくような液体ディスペンサーの必要がある。この発明は、上記の必要を満たすと同時に、その他の関連した長所をも提供している。
【００１０】
（発明の開示）
本発明によれば、飲料または他の栄養液の吸引消費が容易に行なえる改良されたドリンクディスペンサが提供される。本発明のドリンクディスペンサは、概略的に、消費すべき流体が通ることができる開口を備えたディスペンサ本体と、前記ディスペンサ本体開口から延びている剛性ガイドチューブとを有している。可撓性流体容器が、ガイドチューブに対して、またはディスペンサ本体に対して支持されている。流体容器は、消費すべき流体が充填されると本体開口に対してガイドチューブから離れる方向に延び、流体が排出されるとガイドチューブ内に収縮される。また、マウスピースが、可撓性流体容器内に収容される流体と流体流れ連通（fluid-flow communication）するようにして配置され、ディスペンサ本体および／またはマウスピースと関連する弁が、マウスピースから可撓性流体容器内への空気流入を防止する。弁はまた、流体が不意に流体容器からこぼれることを防止する。
【００１１】
本発明の１つの好ましい形態では、ディスペンサ本体は中空内部を有し、ガイドチューブが、ディスペンサ本体開口からディスペンサ本体内に延びている。ディスペンサ本体は、ガイドチューブが取り付けられる上方ケーシングと、下方ケーシングと、下方ケーシングを上方ケーシングに連結する手段とを有している。一形態では、連結手段は、滑り嵌めコネクタからなり、他の形態では連結手段は、下方ケーシングと上方ケーシングとの間のねじ連結部からなる。或いは、ディスペンサ本体の少なくとも一部が弾性的に撓み得るようにして、ディスペンサ本体が内方に変形し、可撓性流体容器と接触できるように構成することもできる。
【００１２】
前記弁と、可撓性流体容器内の消費すべき流体との間の空気を追い出す手段も設けられている。一実施形態では、追い出し手段は、ディスペンサ本体が可撓性流体容器に作用する圧力である。他の実施形態では、追い出し手段は、可撓性流体容器とディスペンサ本体との間の空間を加圧すべく空気をディスペンサ本体内にポンピングする手段からなる。
【００１３】
ドリンクディスペンサは更に、マウスピースと可撓性流体容器との間に中間隔室を設けることができる。中間隔室は、可撓性流体容器内に入れられた消費すべき流体が、本体開口およびマウスピースを通る前に中間隔室を通らなくてはならないようにディスペンサ本体内に配置されている。可撓性流体容器と中間隔室との間には、中間一方向弁を設けることが好ましい。
【００１４】
本発明の他の態様によれば、改良された哺乳びんが提供される。この哺乳びんは、細長い流れチューブを介してボトルの液体内容物と流れ連通するマウスピースを有している。このマウスピースは、乳児にソフトに変形できるフィーリングを与える弾性乳首部材を有している。１つの好ましい形態では、マウスピースの乳首部材は、慣用の「おしゃぶり」の形状または慣用の授乳乳首の形状に構成される。おしゃぶり形マウスピースには、乳首と流れチューブとの間を連結できる弁ブロックを設けることができる。弁ブロックは、流路を選択的に開閉すべく移動可能な弁部材を備えた弁流路を有している。弁ブロックおよびこれに関連する乳首部材は流れチューブから一体として除去され、かつ弁部材はマウスピースをおしゃぶりとして使用できるように閉位置に移動される。
【００１５】
本発明の他の形態によれば、マウスピースは、ボトルキャップに着脱可能に座合されるキャップベースを設けることができる形状を有する。このような実施形態では、流れチューブは、キャップベースとボトルキャップとの間にコイル状のチューブとして収納される収納位置に移動される。別の形態では、流れチューブの一部を摺動可能な入れ子式セグメントで構成し、収納のための長手方向に重なり合った位置と、通常の使用のための伸長位置との間を移動できるように構成できる。
【００１６】
（発明を実施するための最良の形態）
本発明の他の特徴および長所は、本発明の原理を示す添付図面を参照して述べる以下の詳細な説明から明らかになるであろう。
【００１７】
添付図面は本発明を示す。
【００１８】
例示の目的で図面に示すように、本発明はドリンクディスペンサに関し、該ドリンクディスペンサの全体が、図１および図２では参照番号２０で、図３および図４では参照番号２２で、図８では参照番号２４で、図９では参照番号２６で、図１０および図１３では参照番号２８で、図１４では参照番号３０で、図１５では参照番号３２で、および図１６では参照番号３４で、それぞれ示されている。
【００１９】
各ドリンクディスペンサ２０は、概略的に、ディスペンサ本体３６を有し、該ディスペンサ本体３６は、消費すべき流体が通ることを可能にする上方開口３８と、該開口３８から下方に延びている剛性ガイドチューブ４０とを備えている。ガイドチューブ４０には可撓性流体容器４２がシール態様をなして連結されており、該流体容器４２は、消費すべき流体が充填されると本体開口３８に対してガイドチューブ４０から離れる方向に延び、かつ流体が容器４２から排出されると収縮されてガイドチューブ４０内に入るようになっている。マウスピース４４が、可撓性流体容器４２内に入れられた流体と流体流れ連通するように設けられている。また、マウスピース４４から可撓性流体容器４２内への空気流を防止するため、本体開口３８またはマウスピース４４と関連して一方向弁４６が設けられている。
【００２０】
図１および図２に示すように、ディスペンサ本体３６は中空内部を有し、剛性ガイドチューブ４０が本体開口３８からディスペンサ本体３６内に延びている。ディスペンサ本体３６は、ガイドチューブ４０が固定される上方ケーシング４８と、下方ケーシング５０と、該下方ケーシングを上方ケーシングに連結する手段とを有している。この特定実施形態では、この連結手段は、摩擦嵌めにより下方ケーシング５０を上方ケーシング４８に結合できる滑り嵌めコネクタ５２である。可撓性流体容器４２はガイドチューブ４０の下端部にシールされており、消費すべき流体が充填されるとディスペンサ本体３６のほぼ全長に亘って延びる。下方ケーシング５０の下端部には通気孔５４が設けられており、該通気孔５４は、流体が消費されてディスペンサ本体３６内の可撓性流体容器４２の体積が減少するときに、ディスペンサ本体３６内の空気圧力の等化を可能にする。
【００２１】
ディスペンサ本体３６の外面には２組の数字５６、５８が設けられており、一方の組の数字５６は上から下に向って増大し、他方の組の数字５８は下から上に向かって増大する。これらの数字は、ドリンクディスペンサ２０の使用者が、ディスペンサ本体３６内の流体の量を確認できるようにするためのものである。例えば、消費すべき流体を可撓性流体容器４２に充填するとき、ドリンクディスペンサ２０を垂直に保持しておけば、下に向って増大する数字５６の読みが、可撓性流体容器４２内の流体のオンス数を決定する。或いは、一方向弁４６と、可撓性流体容器４２内の任意の流体と、ガイドチューブ４０との間の空間から空気が除去された後に、ドリンクディスペンサ２０を反転させると、上に向って増大する数字５８の読みが、ドリンクディスペンサ２０内に残留する消費すべき流体の量を正確に決定する。
【００２２】
上方ケーシング４８の上端部にはボトルキャップ６０を受け入れるねじが設けられており、ボトルキャップ６０は、上方ケーシング４８に螺着されると、上記マウスピース４４を形成する標準乳首６４の外側フランジ６２を圧縮する。一方向弁４６は乳首６４の端部に設けられており、図２に示すようにスリット弁からなる。
【００２３】
使用に際し、ボトルキャップ６０および乳首６４からなるマウスピース４４を上方ケーシング４８から取り外し、本体開口３８を露出させる。本体開口３８を通して、消費すべき流体を可撓性流体容器４２内に注入する。消費すべき所望量の流体がディスペンサ本体３６内に注入されたならば、マウスピースを上方ケーシング４８の頂部に戻し、次に、ドリンクディスペンサ２０を直立した状態に保持して可撓性流体容器４２を手で絞り、消費すべき流体のレベルを、一方向弁４６が設けられている乳首６４の端部に向かって上方に押しやる。これにより、一方向弁４６と消費すべき流体との間の空間から空気が追い出され、これはしばしば望まれることである。この可撓性流体容器４２の手絞り作業は、滑り嵌めコネクタ５２から下方ケーシング５０を取り外すことにより容易化される。空気が除去されたならば、下方ケーシング５０を上方ケーシング４８に戻すことができる。
【００２４】
図３および図４には、他の実施形態によるドリンクディスペンサ２２が示されており、この実施形態では、下方ケーシング５０は、上方ケーシング４８の下端部に設けられた雌ねじ６８と係合する雄ねじ６６を有している。下方ケーシング５０内には、可撓性流体容器４２の下端部と係合できるプレート７０が設けられており、下方ケーシング４８が上方ケーシング４８内にねじ込まれると、プレート７０が可撓性流体容器４２の下端部と係合し、ディスペンサ本体３６から好ましくない空気を追い出す目的で、容器４２を上方に押しやる。この場合、可撓性流体容器４２は、剛性ガイドチューブ４０の下端部を越えて、本体開口３８から延びている。
【００２５】
図４に示すように、一方向弁４６の位置も、図１および図２に示した一方向弁の位置とは異なっている。この実施形態では、ディスペンサ本体開口３８上にディスペンサ本体キャップ７２が取り付けられ、該ディスペンサ本体キャップ７２に一方向弁４６が設けられている。図４および図５のディスペンサ本体キャップ７２は、中央孔７４およびフラップ弁７６を有している。或いは、図６および図７に示すように、ディスペンサ本体キャップ７２に、スリット弁８０により形成される中央通路７８を設けることもできる。
【００２６】
図８には他のドリンクディスペンサ２４が示されており、この実施形態では、下方ケーシング５０が上方ケーシング４８内に入れ子式に嵌合しており、一方ではガイドチューブ４０と可撓性流体容器４２との間、および他方ではガイドチューブ４０と上方ケーシング４８の内面との間の空間を加圧する目的でポンプ形作用を与える。より詳しくは、上方ケーシング４８の下端部は、逆Ｕ形中間構造体８２により閉じられている。中間構造体８２の上端部を貫通する中央孔８４が設けられており、該中央孔８４には、これを通る一方向空気流手段を形成するフラップ弁８６が関連している。中間構造体８２の下端部には、下方ケーシング５０の外面と係合して中間構造体８２と下方ケーシング５０との間にシールを形成するОリング８８を有している。下方ケーシング５０は中間構造体８２内に上方に延びており、かつ該中間構造体８２内で上下に往復運動態様で移動できる。通気孔５４にはフラップ弁９０が設けられており、通気孔５４を通る一方向流を与える。
【００２７】
使用に際し、下方ケーシング５０を中間構造体８２内に交互に上下に押し込みかつ引き出すと、空気が、中央孔８４を通り、ガイドチューブ４０および可撓性流体容器４２を包囲する上方ケーシング４８内の空間内にポンピングされる。この空間が加圧されると、可撓性流体容器４２内の消費すべき流体が、該流体の上面に隣接する好ましくない空気を追い出す目的で、ガイドチューブ４０を通って上方に押しやられる。
【００２８】
図９には、更に別の実施形態によるドリンクディスペンサ２６が示されており、この実施形態では、上方ケーシング４８がガイドチューブ４０として機能し、可撓性流体容器４２の上端部は、下方ケーシング５０の雄ねじ６６と、上方ケーシング４８の雌ねじ６８との間に配置される。
【００２９】
図１０に示すドリンクディスペンサ２８は、乳児（図示せず）への飲料または他の栄養液の容易な吸引授与が行なえる哺乳びんからなる。この改良された哺乳びん２８は慣用的な幾何学的形状をもつ中空ボトル本体３６を有し、該ボトル本体３６はマウスピース４４と組み合わされ，該マウスピース４４を介して飲料等を吸引排出消費できる。マウスピース４４は、ソフトで弾力性のある自然なフィーリングを乳児に与えると同時に、非常に改良された吸引誘導液流を発生させることができる。
【００３０】
ボトル本体３６は、円筒状で雄ねじが設けられたネック９２により形成された開放ボトル口３８を備えた全体として標準的な構造およびサイズを有する。かくして、飲料等は開放口３８を介して可撓性流体容器４２内に導入され、その後にキャップを螺着する。キャップ６０には中央流れポート９４が形成されており、該ポート９４は、これと流れチューブ９６とをインライン連結している。
【００３１】
流れチューブ９６は、可撓性プラスチックチューブ等から構成される。流れチューブは、ボトルキャップ６０とマウスピース４４との間に延びており、これにより、マウスピース４４をボトル本体３６から大きい距離（一般には、１〜２フィート程度）で隔てることができ、従って、授乳中にボトルを乳児の傍で直立または反転位置におくことができる。流れチューブ９６を通る流体の流れを所望のときに閉じるためのクランプ９７が設けられており、該クランプ９７には、上記弁４４の機能をもたせることができる。
【００３２】
図１１および図１２には、ほぼ標準的な「おしゃぶり」の形状に構成された１つの好ましい形態をなすマウスピース４４が示されている。より詳しくは、流れチューブ９６の外端部すなわち遠位端は、吸引流体流路１０２が貫通形成された弁ブロック１００の管状支柱９８に嵌合される。弁ブロック１００は、ソフトで弾性を有する乳首部材１０４（プラスチックガードまたはシールド１０６が組み合わされたものが好ましい）を支持している。弁ブロック１００には、弁部材１０８が、弁孔１１０が流路１０２と整合する常開位置（図１１）と、弁孔１１０が流路１０２に対して横方向に位置する閉位置（図１２）との間で回転できるように支持されている。
【００３３】
図１１および図１２に示すマウスピース４４は、おしゃぶりとして別途使用するのにも便利に適合できる。この場合には、流れチューブ９６を迅速かつ容易に弁ブロック１００から取り外して、残余の哺乳びん構成要素から独立して使用できる。おしゃぶりとしての使用を望む場合には、弁部材１０８を閉位置（図１２）に回転し、乳児が流路１０２を通して空気を吸い込むことを防止する。
【００３４】
図１３は本発明の他の変更態様を示し、この変更態様では、乳首部材１０４が、嵌合取付けリング１１４を備えた改変形ボトルキャップ６０に着脱可能な嵌合装着ができるキャップベース１１２に取り付けられる。この構成では、キャップ６０と乳首部材１０４との間に連結された流れチューブ９６は、キャップベース１１２とキャップ６０との間にコイル状に収納でき、または使用のためにキャップベース１１２がボトルから取り外されるときには伸長できる長さを有している。
【００３５】
図１４には、図９に示したものと同様なディスペンサ本体３６を備えた更に別のドリンクディスペンサ３０が示されている。しかしながら、マウスピース４４は、ストロー１１６を受け入れる機構に置換されている。これを行なうため、上方ケーシング４８の上端部には、ストロー１１６を受け入れるように改変されたキャップ１１８を受け入れるためのねじが形成されている。ストロー１１６が通される中央の流れポート１２０に直ぐ隣接して、キャップ１１８には一方向弁４６が組み込まれている。この実施形態並びに図９、図１５および図１６の実施形態では、下方ケーシング５０は、該ケーシング５０を圧縮して可撓性流体容器４２と係合させ、ディスペンサ本体３６から好ましくない空気を強制的に追い出すことができるように弾性変形可能なエラストマ材料で形成するのが好ましい。
【００３６】
図１５は更に別の実施形態を示し、この実施形態では、キャップ１１８に飲み口１２２が設けられた変更がなされている。
【００３７】
図１６には更に別の実施形態が示されており、この実施形態では、マウスピース（図示せず）と可撓性流体容器４２との間に中間隔室１２４が設けられている。中間隔室１２４はディスペンサ本体３６内に配置されており、これにより、可撓性流体容器４２内に入れられた消費すべき流体は、本体開口３８およびマウスピース４４を通る前に中間隔室１２４を通らなくてはならない。この実施形態では、可撓性流体容器４２は、その上端部が、上方ケーシング４８の雌ねじ６８と、下方ケーシング５０の雄ねじ６６との間に支持される。下方ケーシング５０の上端部には、液体が可撓性流体容器４２から中間隔室１２４へと流れることを防止するための着脱可能な仕切り構造体１２６を設けることができる。仕切り構造体１２６が取り外されたとき、可撓性流体容器４２内の消費すべき流体は、流体不透過性膜１２８および中間一方向弁１３０により、中間隔室１２４の内容物から分離されている。下方ケーシング５０を圧縮して、消費すべき流体を強制的に上昇させると、流体は、中間一方向弁１３０を通って、中間隔室内に収容されたもの（例えば香料、粉末等）と混合される。
【００３８】
以上から、本発明によれば、ディスペンサ内の好ましくない空気を容易に除去して、ディスペンサ内の消費すべき流体を、適当なマウスピースを介して吸引することにより、容易かつ滑らかに排出できる便利なドリンクディスペンサが提供されることが理解されよう。消費すべき流体の量は、ドリンクディスペンサの外面から容易に読み取ることができる。また、予め充填された可撓性流体容器４２を設けることができ、また、流体収容隔室内から好ましくない空気を容易かつ迅速に除去できる種々の機構を開示した。
【００３９】
以上、本発明の幾つかの特定実施形態を例示の目的で詳細に説明したが、本発明の精神および範囲から逸脱することなく種々の変更をなし得るであろう。従って、本発明は、特許請求の範囲に記載された部分を除き制限を受けるものではない。
【図面の簡単な説明】
【図１】  本発明を乳児用の哺乳びんの形態で具現したドリンクディスペンサの側断面図であり、ガイドチューブにシール態様で連結された可撓性流体容器が、消費すべき流体が充填されるときには本体開口に対してガイドチューブから離れる方向に延び、流体が可撓性流体容器から排出されたときにはガイドチューブ内に収縮する態様を示すものである。
【図２】  図１の２−２線に沿う方向から見たドリンクディスペンサを示す平面図である。
【図３】  マウスピースおよびこれに関連するキャップがディスペンサ本体から除去されている点を除き図１と同様な図面であり、下方ケーシングが上方ケーシング内に螺着される構成のディスペンサ本体の別の形態を示すものである。
【図４】  図１と同様な例示ドリンクディスペンサの上端部の部分側断面図であり、別のマウスピースおよび一方向弁が組み込まれたディスペンサ本体キャップが設けられているところを示すものである。
【図５】  図４のディスペンサ本体キャップの拡大側断面図である。
【図６】  一方向スリット弁が組み込まれた別の実施形態によるディスペンサ本体キャップを示す図５と同様な側断面図である。
【図７】  図６の７−７線方向から見た図６のディスペンサ本体の平面図である。
【図８】  可撓性流体容器とディスペンサ本体との間の空間を加圧すべくディスペンサ本体内に空気をポンピングする手段を備えたディスペンサ本体の他の実施形態を示す図３と同様な側断面図である。
【図９】  可撓性流体容器が上方ケーシングと下方ケーシングとの間の界面間にシール態様で支持される構成の更に別の構成のディスペンサ本体を示す図３および図４と同様な側断面図である。
【図１０】  本発明の好ましい一形態に従って構成された乳児用哺乳びんを示す斜視図である。
【図１１】  図１０の１１−１１線に沿う拡大部分断面図である。
【図１２】  図１１と同様な断面図であり、図示のマウスピースの別の用例を示すものである。
【図１３】  本発明の他の好ましい形態を示す拡大部分縦断面図である。
【図１４】  キャップに通されるストローが設けられた本発明の他の実施形態を示す側断面図である。
【図１５】  慣用の飲み口形キャップが設けられた他の実施形態を示す側断面図である。
【図１６】  マウスピースと、ディスペンサ本体内に配置される可撓性流体容器との間の中間隔室を有し、可撓性流体容器内の消費すべき流体が、マウスピースを通る前に、中間隔室を通らなければならないように構成された他の実施形態を示す側断面図である。
【図１】
0003732739.tif 000002
【図２】
0003732739.tif 000003
【図３】
0003732739.tif 000004
【図４】
0003732739.tif 000005
【図５】
0003732739.tif 000006
【図６】
0003732739.tif 000007
【図７】
0003732739.tif 000008
【図８】
0003732739.tif 000009
【図９】
0003732739.tif 000010
【図１０】
0003732739.tif 000011
【図１１】
0003732739.tif 000012
【図１２】
0003732739.tif 000013
【図１３】
0003732739.tif 000014
【図１４】
0003732739.tif 000015
【図１５】
0003732739.tif 000016
【図１６】
0003732739.tif 000017